(57)【要約】【課題】  印刷装置と、デジタルカメラやＰＤＡなどのモバイル機器とを接続し、電子機器を設定する場合、その設定を容易に行うことができる電子機器を提供することを目的とする。【解決手段】  電子機器と印刷装置とを互いに接続し、上記電子機器の所定項目について設定する電子機器設定システムにおいて、上記電子機器の所定項目について設定する設定シートを、上記印刷装置へ送信する設定シート送信手段と、上記送信された上記設定シートに、上記印刷装置のユーザが記入した設定シートを、上記印刷装置が読取ったイメージデータに基づいて、ユーザが記入したマークの座標位置を示す情報である座標位置情報を、上記印刷装置から受信する座標位置情報受信手段と、上記受信した座標位置情報に基づいて、上記ユーザが記入したマークの意味を解析するマーク解析手段とを有する電子機器である。【選択図】  図１０
2006340242.tif 000002
【特許請求の範囲】
【請求項１】
電子機器と印刷装置とを互いに接続し、上記電子機器の所定項目について設定する電子機器設定システムにおいて、
上記電子機器の所定項目について設定する設定シートを、上記印刷装置へ送信する設定シート送信手段と；
上記送信された上記設定シートに、上記印刷装置のユーザが記入した設定シートを、上記印刷装置が読取ったイメージデータに基づいて、ユーザが記入したマークの座標位置を示す情報である座標位置情報を、上記印刷装置から受信する座標位置情報受信手段と；
上記受信した座標位置情報に基づいて、上記ユーザが記入したマークの意味を解析するマーク解析手段と；
を有することを特徴とする電子機器設定システムにおける電子機器。
【請求項２】
請求項１において、
上記マーク解析手段は、上記印刷装置から送信された位置座標情報に基づいて、各座標がどの設定項目の座標系の範囲に属するかを解析する手段であることを特徴とする電子機器。
【請求項３】
請求項１において、
上記マーク解析手段は、上記印刷装置から送信された位置座標情報に基づいて、解析した結果、各設定項目の座標系の範囲に属する座標が存在しない場合は、現在の設定をそのまま維持する手段であることを特徴とする電子機器。
【請求項４】
請求項１において、
位置テーブルを保持していることを特徴とする電子機器。
【請求項５】
請求項１において、
上記マーク解析手段が解析したマークの意味に基づいて、上記電子機器の所定項目について設定することを特徴とする電子機器。
【請求項６】
電子機器と印刷装置とを互いに接続し、上記電子機器の所定項目について設定する電子機器設定システムにおいて、
上記電子機器の所定項目について設定する設定シートを上記電子機器から受信する設定シート受信手段と；
上記受信した設定シートを受信し、上記設定シートを印刷する設定シート印刷手段と；
上記印刷した設定シート中でユーザが記入した所定の項目を読み取る設定シート読取手段と；
上記印刷装置の読取部が読み取ったイメージデータに基づいて、ユーザが記入したマークの座標位置を示す情報である座標位置情報を生成する座標位置情報生成手段と；
上記生成された座標位置情報を、上記印刷装置から上記電子機器へ送信する座標位置情報送信手段と；
を有することを特徴とする電子機器設定システムにおける印刷装置。
【請求項７】
請求項６において、
上記座標位置情報送信手段は、上記電子機器の内部に保持されている電子機器の設定シートと、ユーザが記入する記入欄の縦軸座標情報と横軸座標情報とを、上記座標位置情報として上記電子機器へ送信する手段であることを特徴とする印刷装置。
【請求項８】
請求項６において、
上記設定シート印刷手段は、上記設定シートと、上記電子機器の現在の設定情報に対応する位置座標データとを合成して印字データとを生成し、印刷する手段であることを特徴とする印刷装置。
【請求項９】
請求項６において、
上記設定シート読取手段は、上記設定シート送信手段が送信した設定シートのマーク記載欄に記載されているマークの位置の縦軸座標だけを読み取る手段であることを特徴とする印刷装置。
【請求項１０】
請求項６において、
位置テーブルを保持していることを特徴とする印刷装置。
【請求項１１】
請求項１０において、
上記座標位置情報生成手段は、上記設定シート読取手段が読み取ったイメージデータを、上記位置テーブルを参照して、座標位置情報へ変換する手段であることを特徴とする印刷装置。
【請求項１２】
電子機器と印刷装置とを互いに接続し、上記電子機器の所定項目について設定する電子機器設定システムにおいて、
上記電子機器の所定項目について設定する設定シートを、上記印刷装置へ送信する設定シート送信手段を具備する電子機器と；
上記電子機器の所定項目について設定する設定シートを上記電子機器から受信する設定シート受信手段と、上記受信した設定シートを受信し、上記設定シートを印刷する設定シート印刷手段と、上記印刷した設定シート中でユーザが記入した所定の項目を読み取る設定シート読取手段と、上記印刷装置の読取部が読み取ったイメージデータに基づいて、ユーザが記入したマークの座標位置を示す情報である座標位置情報を生成する座標位置情報生成手段と、上記生成された座標位置情報を、上記印刷装置から上記電子機器へ送信する座標位置情報送信手段とを具備する印刷装置とを具備する印刷装置と；
を有し、上記電子機器は、上記送信された上記設定シートに、上記印刷装置のユーザが記入した設定シートを、上記印刷装置が読み取ったイメージデータに基づいて、ユーザが記入したマークの座標位置を示す情報である座標位置情報を上記印刷装置から受信する座標位置情報受信手段と、上記受信した座標位置情報に基づいて、上記ユーザが記入したマークの意味を解析するマーク解析手段とを有することを特徴とする電子機器設定システム。
【請求項１３】
請求項１２において、
上記電子機器と上記印刷装置とが、有線または無線で接続されることを特徴とする電子機器設定システム。
【請求項１４】
電子機器と印刷装置とを互いに接続し、上記電子機器の所定項目について設定する電子機器設定システムにおいて、
上記電子機器の所定項目について設定する設定シートを、上記印刷装置へ送信する設定シート送信工程と；
上記送信された上記設定シートに、上記印刷装置のユーザが記入した設定シートを、上記印刷装置が読み取ったイメージデータに基づいて、ユーザが記入したマークの座標位置を示す情報である座標位置情報を、上記印刷装置から受信する座標位置情報受信工程と；
上記受信した座標位置情報に基づいて、上記ユーザが記入したマークの意味を解析するマーク解析工程と；
を有することを特徴とする電子機器設定システムにおける電子機器の制御方法。
【請求項１５】
請求項１４において、
上記マーク解析工程で解析したマークの意味に基づいて、上記電子機器の所定項目について設定することを特徴とする電子機器の制御方法。
【請求項１６】
電子機器と印刷装置とを互いに接続し、上記電子機器の所定項目について設定する電子機器設定システムにおいて、
上記電子機器の所定項目について設定する設定シートを上記電子機器から受信する設定シート受信工程と；
上記受信した設定シートを受信し、上記設定シートを印刷する設定シート印刷工程と；
上記印刷した設定シート中でユーザが記入した所定の項目を読取る設定シート読取工程と；
上記印刷装置の読取部が読み取ったイメージデータに基づいて、ユーザが記入したマークの座標位置を示す情報である座標位置情報を生成する座標位置情報生成工程と；
上記生成された座標位置情報を、上記印刷装置から上記電子機器へ送信する座標位置情報送信工程と；
を有することを特徴とする電子機器設定システムにおける印刷装置の制御方法。
【請求項１７】
電子機器と印刷装置とを互いに接続し、上記電子機器の所定項目について設定する電子機器設定システムにおいて、
上記電子機器の所定項目について設定する設定シートを、上記印刷装置へ送信する設定シート送信手順と；
上記送信された上記設定シートに、上記印刷装置のユーザが記入した設定シートを、上記印刷装置が読み取ったイメージデータに基づいて、ユーザが記入したマークの座標位置を示す情報である座標位置情報を、上記印刷装置から受信する座標位置情報受信手順と；
上記受信した座標位置情報に基づいて、上記ユーザが記入したマークの意味を解析するマーク解析手順と；
をコンピュータに実行させる電子機器の制御プログラム。
【請求項１８】
電子機器と印刷装置とを互いに接続し、上記電子機器の所定項目について設定する電子機器設定システムにおいて、
上記電子機器の所定項目について設定する設定シートを上記電子機器から受信する設定シート受信手順と；
上記受信した設定シートを受信し、上記設定シートを印刷する設定シート印刷手順と；
上記印刷した設定シート中でユーザが記入した所定の項目を読み取る設定シート読取手順と；
上記印刷装置の読取部が読み取ったイメージデータに基づいて、ユーザが記入したマークの座標位置を示す情報である座標位置情報を生成する座標位置情報生成手順と；
上記生成された座標位置情報を、上記印刷装置から上記電子機器へ送信する座標位置情報送信手順と；
をコンピュータに実行させる印刷装置の制御プログラム。
【発明の詳細な説明】
【技術分野】
【０００１】
本発明は、デジタルカメラやＰＤＡ等のいわゆる電子機器の詳細な設定を、設定シートを利用して行う電子機器設定方法に関する。
【背景技術】
【０００２】
ホームネットワークに、サーバ・印刷装置・読取装置・各種電子機器（たとえば、ビデオレコーダ・エアコン・給湯・蛍光灯など）が接続され、サーバに問い合わせた後に、電子機器の設定シートを、印刷装置に印刷させ、ユーザは、その設定シートの設定項目を記載し、読取装置で読み取った画像データを、サーバへ送信し、サーバが受信した画像データをサーバの内部で制御信号へ変換し、電子機器へ送信・設定を行う電子機器制御方法が知られている（たとえば、特許文献１参照）。
【０００３】
しかし、設定シートを読み取る具体的な方法が、上記特許文献１には記載されずに、単に「画像データを読み込む」と記載され、読み取り前後の画像のドット数の違いで、ユーザが入力した部分を読み取っているだけである。
【０００４】
また、有線または無線で接続された電子機器を、設定情報シートを利用して設定する方法で、ユーザが加筆前の設定情報シートと、ユーザが加筆した後に、光学読み取り手段で読み取った設定情報シートとを照合して、設定情報を抽出する方法が知られている（たとえば、特許文献２参照）。
【特許文献１】特開２００３−３０７７４号公報
【特許文献２】特開２００１−２１１２８４号公報
【発明の開示】
【発明が解決しようとする課題】
【０００５】
上記照合をする場合、設定情報シートのユーザによる加筆前後におけるデータの差分を抽出し、照合する。しかし、この２つの設定シートを照合するためには、多くのリソース（メモリ・差分を抽出するためのプログラム）が必要になるので、必ずしも良い手段とはいえない。
【０００６】
また、いずれの電子機器の設定でも、現在のその電子機器の設定情報を取得することができないという問題がある。
【０００７】
今日、デジタルカメラや携帯電話、ＰＤＡ等のいわゆるモバイル電子機器が急速に普及している。ユーザが、このような電子機器を設定する際に、多くの設定項目があり、非常に分かりにくいという問題がある。
【０００８】
また、このような電子機器の大半は、ボタンが小さいために、操作しにくく、ディスプレイが小さいという理由から、使い勝手が良いとは必ずしも言えない。にも関わらずユーザは、このようなユーザインタフェースからの操作を余儀なくされるという問題がある。
【０００９】
本発明は、印刷装置と、デジタルカメラやＰＤＡなどのモバイル機器とを接続し、電子機器を設定する場合、その設定を容易に行うことができる電子機器設定方法を提供することを目的とする。
【課題を解決するための手段】
【００１０】
本発明は、電子機器と印刷装置とを互いに接続し、上記電子機器の所定項目について設定する電子機器設定システムにおいて、上記電子機器の所定項目について設定する設定シートを、上記印刷装置へ送信する設定シート送信手段と、上記送信された上記設定シートに、上記印刷装置のユーザが記入した設定シートを、上記印刷装置が読み取ったイメージデータに基づいて、ユーザが記入したマークの座標位置を示す情報である座標位置情報を、上記印刷装置から受信する座標位置情報受信手段と、上記受信した座標位置情報に基づいて、上記ユーザが記入したマークの意味を解析するマーク解析手段とを有することを特徴とする電子機器設定システムにおける電子機器である。
【００１１】
また、本発明は、電子機器と印刷装置とを互いに接続し、上記電子機器の所定項目について設定する電子機器設定システムにおいて、上記電子機器の所定項目について設定する設定シートを上記電子機器から受信する設定シート受信手段と、上記受信した設定シートを受信し、上記設定シートを印刷する設定シート印刷手段と、上記印刷した設定シート中でユーザが記入した所定の項目を読み取る設定シート読取手段と、上記印刷装置の読取部が読み取ったイメージデータに基づいて、ユーザが記入したマークの座標位置を示す情報である座標位置情報を生成する座標位置情報生成手段と、上記生成された座標位置情報を、上記印刷装置から上記電子機器へ送信する座標位置情報送信手段とを有することを特徴とする電子機器設定システムにおける印刷装置である。
【００１２】
さらに、本発明は、電子機器と印刷装置とを互いに接続し、上記電子機器の所定項目について設定する電子機器設定システムにおいて、上記電子機器の所定項目について設定する設定シートを、上記印刷装置へ送信する設定シート送信手段を具備する電子機器と、上記電子機器の所定項目について設定する設定シートを上記電子機器から受信する設定シート受信手段と、上記受信した設定シートを受信し、上記設定シートを印刷する設定シート印刷手段と、上記印刷した設定シート中でユーザが記入した所定の項目を読み取る設定シート読取手段と、上記印刷装置の読取部が読み取ったイメージデータに基づいて、ユーザが記入したマークの座標位置を示す情報である座標位置情報を生成する座標位置情報生成手段と、上記生成された座標位置情報を、上記印刷装置から上記電子機器へ送信する座標位置情報送信手段とを具備する印刷装置とを具備する印刷装置とを有し、上記電子機器は、上記送信された上記設定シートに、上記印刷装置のユーザが記入した設定シートを、上記印刷装置が読み取ったイメージデータに基づいて、ユーザが記入したマークの座標位置を示す情報である座標位置情報を、上記印刷装置から受信する座標位置情報受信手段と、上記受信した座標位置情報に基づいて、上記ユーザが記入したマークの意味を解析するマーク解析手段とを有することを特徴とする電子機器設定システムである。
【発明の効果】
【００１３】
本発明によれば、印刷装置と、デジタルカメラやＰＤＡ等のモバイル機器等の電子機器とを接続し、その電子機器を設定する場合、その設定を容易に行うことができるという効果を奏する。
【００１４】
また、印刷装置と電子機器との間の通信データは、従来のように、読み取ったイメージデータのやり取りが頻繁に行われるわけではなく、座標情報のやり取りが主であるので、情報量が少なく、非力な通信環境でも容易に設定することができるという効果を奏する。
【発明を実施するための最良の形態】
【００１５】
発明を実施するための最良の形態は、次の実施例である。
【実施例１】
【００１６】
図１は、本発明の実施例１である電子機器１０と、読取部を有する印刷装置２０とを接続して、電子機器１０について、必要な設定を行う場合の説明図である。
【００１７】
図２は、電子機器１０と、印刷装置２０との具体的な構成例を示すブロック図である。
【００１８】
電子機器１０は、デジタルカメラ、ＰＤＡ等のモバイル機器等の電子機器であり、ＣＰＵ１１と、ＲＡＭ１２と、ＲＯＭ１３と、Ｉ／Ｆ１４と、受信データ解析部１５と、電子機器基本機能部分１６とを有する
印刷装置２０は、ＣＰＵ２１と、ＲＡＭ２２と、ＲＯＭ２３と、Ｉ／Ｆ２４と、印字データ生成部２５と、印字部２６と、読取部２７と、送信データ生成部２８とを有する。
【００１９】
図３は、実施例１において使用されて位置テーブルＴ１の一例を示す図である。
【００２０】
図４は、位置テーブルＴ１において、座標位置が数字で付されている位置テーブルの例を示す図である。
【００２１】
図５は、実施例１において、マーク記入欄と設定内容との対応例を示す図である。
【００２２】
印刷装置２０と電子機器１０とは、図３に示す位置テーブルＴ１を内部で保持し、電子機器１０は、どのマーク記入欄（座標）が、何の設定であるのかが、図５に示すように対応付けられている。
【００２３】
図５に示す対応例によれば、たとえば、座標（１６．６）は、電子機器１０の記録画素数が「２２７２×１５３６」であることを意味する座標である。このように、座標と設定内容とが対応付けられている。
【００２４】
以下、同様に、座標（２７．６）は、電子機器１０の記録画素数が「１６００×１２００」であることを意味する座標であり、座標（１６．７）は、電子機器１０の記録画素数が「１０２４×７６８」であることを意味する座標である。
【００２５】
図６は、実施例１において、何もマークされていない設定シートＳＳを示す図である。
【００２６】
まず、電子機器１０は、図６に示す設定シートＳＳ（データ形式はＪＰＥＧ・ＸＭＬ等）と、電子機器１０の現在の設定位置情報（位置テーブルＴ１の座標位置）と、設定シートの塗りつぶされる可能性がある座標位置情報（マーク記入欄の座標位置情報）とを、印刷装置２０へ送信する。
【００２７】
設定シートＳＳは、電子機器１０の現在の設定位置情報（位置テーブルＴ１の座標位置）と、設定シートＳＳのうちで、塗りつぶされる可能性がある座標位置情報（マーク記入欄の座標位置情報）とを示す。
【００２８】
図６に示す設定シートＳＳと、電子機器１０の現在の設定位置情報（位置テーブルＴ１の座標位置）と、設定シートＳＳの塗りつぶされる可能性がある座標位置情報（マーク記入欄の座標位置情報）とを、印刷装置２０が受け取る。
【００２９】
図７は、実施例１において、電子機器１０をユーザが設定する前に設定されている状態が記載されている設定シートＳＳ１を示す図である。
【００３０】
印刷装置２０は、印刷装置２０の送信データ生成部２８が、図６に示す設定シートＳＳと、電子機器１０の現在の設定情報（位置座標）とを組み合わせて、図７に示す、現在の電子機器１０の設定情報が記載されている（マークされている）状態の設定シートＳＳ１（図７）を生成し、この生成された設定シートＳＳ１を、印字部２６が印刷する。なお、図７に記載されている×印は、ユーザが設定する前に設定されている設定項目であることを示す印である。
【００３１】
この際、現在設定されている設定内容に対応するマーク記入欄（四角の枠線で示す記入欄）には、ユーザを、容易に判断・認識することができるように、カラー色で、マーク記入欄が塗り潰されている。なお、上記設定内容に対応するマーク記入欄を、四角の枠線以外の形状で示すようにしてもよい。
【００３２】
また、電子機器１０における現在の設定位置情報をマークせずに（マーク記入欄に記入せずに）、図６に示すように、何も設定されていない状態を示す設定シートＳＳだけを印字するように選択してもよい。
【００３３】
図８は、印刷された設定シートＳＳ１に、ユーザが変更を望む設定項目に対応するマーク記入欄を塗りつぶした状態を示す図である。
【００３４】
ユーザは、印刷された図７に示す設定シートＳＳ１から、変更を行いたい設定項目に対応するマーク記入欄を、図８に示すように、塗りつぶし、全てのマーク記入欄に記入した設定（変更）が終了したら、印刷装置２０の読取部２７に、上記設定シートＳＳ２を載せ、読み取りを開始する。
【００３５】
読取部２７は、設定シートＳＳ２の塗りつぶされる可能性がある座標位置情報（マーク記入欄の座標位置情報）に基づいて、マーク記入欄の座標位置のみを読み取る。
【００３６】
図９は、実施例１において、設定シートＳＳ２を読取部２７が読み取ったイメージデータを示す図である。
【００３７】
送信データ生成部２８は、読取部２７が読み取った図９に示すイメージデータから、位置座標情報を生成し、電子機器１０へ、その位置座標群を送信する。
【００３８】
電子機器１０は、印刷装置２０が送信した位置座標情報に基づいて、ユーザが何を設定したかを解析し、この解析によって、ユーザが所望する設定を実行することができる。
【００３９】
次に、実施例１について、詳細な説明を行う。
【００４０】
実施例１において、次の設定が、電子機器１０に設定されているとする。
「記録画素数：１６００×１２００」
「記録画素数（動画）：１６０×１２０」
「圧縮率：ファイン」
「記録形式：ＪＰＥＧ」
「セルフタイマー：２秒」
「ＩＳＯ感度：１００」
「撮影確認時間：ＯＦＦ」
「電子音：ＯＮ  起動音：パターン２、操作音：パターン３、シャッター音：パターン２、セルフタイマー音：パターン１」
「液晶の明るさ：標準」
「スピーカー音量：ＯＮ  パターン１」
「節電モード：ＯＮ」
「ＣＦカード初期化：ＮＯ」
「言語：日本語」
「起動画面：パターン２」
次に、実施例１の具体的な動作について説明する。
【００４１】
図１０は、実施例１における印刷装置２０の動作を示すフローチャートである。
【００４２】
印刷装置２０を電子機器１０に接続する（Ｓ１）。一方、電子機器１０から印刷装置２０に、図６に示す設定シートＳＳと、電子機器１０に現在、設定されている設定情報と、設定シートＳＳにおいて塗りつぶされる可能性のある座標位置情報(マーク記入欄の位置情報)とを送信する（Ｓ１２）。
【００４３】
電子機器１０は、現在、図７に示すように設定されているので、「電子機器１０の現在の設定情報」の座標位置（１６．１０）、（１６．１１）、（１６．１３）、（１６．２５）、（２７．６）、（２７．８）、（２７．９）、（２７．１２）、（２７．１６）、（２７．２０）、（２７．２１）、（２７．２２）、（２７．２４）、（２７．２８）、（３８．１７）、（３８．１９）、（４８．１８）、（４８．２３）、（４８．２７）の情報が、電子機器１０から印刷装置２０へ送信される。
【００４４】
「設定シートＳＳにおいて塗りつぶされる可能性のある座標位置情報」は、ｘ座標１６、２７、３８、４８の情報であり、このｘ座標の情報を、電子機器１０が印刷装置２０へ送信する。
【００４５】
図６に示す設定シートＳＳと、「電子機器１０の現在の設定情報」と、「設定シートＳＳのうちで塗りつぶされる可能性のある座標位置情報（座標記入欄の座標位置情報）」とを印刷装置２０が受信すると（Ｓ２）、印刷装置２０は、図６に示す設定シートＳＳと「電子機器１０の現在の設定情報」とを組み合わせ、図７に示す設定シートＳＳ１のイメージデータを作成し、印字する（Ｓ３）。この際、「電子機器１０の現在の設定情報」を組み合わさず、設定シートＳＳのみを印字するように選択してもよい。
【００４６】
印刷された設定シートＳＳ１を使用して、ユーザは、図８に示すように、変更を望む内容の左に記載されているマーク記入欄印を塗りつぶす（マークする）。
【００４７】
たとえば、
「記録画素数：２２７２×１５３６」
「記録画素数（動画）：３２０×２４０」
「セルフタイマー：１０秒」
「撮影確認時間：ＯＮ ２秒」
「電子音：ＯＮ  操作音パターン１」
「液晶の明るさ：明るい」
「スピーカーの音量：ＯＦＦ」
「言語：Ｅｎｇｌｉｓｈ」
「起動画面：パターン３」
の左に記載されているマーク記入欄（四角の枠線）に、ユーザがマークする。つまり、現在の電子機器１０の設定から、上記のような設定に、部分的に変更することをユーザが望んでいるとする。
【００４８】
次に、印刷装置２０をＩＤＬＥ状態にし（Ｓ４）、ユーザがマークした、図８に示す設定シートＳＳ２を、印刷装置２０の読取部２７が読み取る（Ｓ５）。読取部２７は、塗りつぶされる可能性がある（記入欄の）ｘ座標１６、２７、３８、４８の縦方向の座標のみを読み取る。
【００４９】
読み取ったイメージデータである図９は、印刷装置２０のメモリに一旦保存される。
【００５０】
次に、読取部２７が読み取った上記イメージデータを、送信データ生成部２８が、座標位置情報へ変換する（Ｓ６）。この変換によって、座標情報（１６，６）、（１６，８）、（１６，２１）、（１６，２２）、（１６，２６）、（１６，３５）、（２７，１１）、（２７，１３）、（２７，１４）、（２７，１８）を得ることができる。
【００５１】
そして、印刷装置２０を送信待機状態にし（Ｓ７）、電子機器１０が受信可能であれば（Ｓ８）、上記座標情報を、電子機器１０へ送信し（Ｓ９）、印刷装置２０をＩＤＬＥ状態にする（Ｓ１０）。
【００５２】
次に、電子機器１０の動作について説明する。
【００５３】
図１１は、実施例１における電子機器１０の動作を示すフローチャートである。
【００５４】
まず、電子機器１０を印刷装置２０に接続し（Ｓ１１）、電子機器１０が印刷装置２０に、図６に示す設定シートＳＳと、電子機器１０に現在、設定されている設定情報と、設定シートＳＳにおいて塗りつぶされる可能性のある座標位置情報(マーク記入欄の位置情報)とを送信する（Ｓ１２）。
【００５５】
そして、電子機器１０が送信待機状態になり（Ｓ１３）、印刷装置２０が受信可能であれば（Ｓ１４）、印刷装置２０へ設定シートＳＳ１を送信する動作を開始し（Ｓ１５）、電子機器１０が送信を終了する（Ｓ１６）。電子機器１０が受信可能状態であり（Ｓ１７）、電子機器１０が印刷装置２０からデータ受信すれば（Ｓ１８）、座標情報を受信した電子機器１０は、受信した各情報座標が、どの設定項目の領域に属するのかを判別する（Ｓ１９・Ｓ２０）。
【００５６】
たとえば、この場合、座標群（１６，６）、（１６，８）、（１６，２１）、（１６，２２）、（１６，２６）、（１６，３５）、（２７，１１）、（２７，１３）、（２７，１４）、（２７，１８）が、印刷装置２０から送信される。
【００５７】
座標（１６，６）は、「記録画素数」の設定が「２２７２×１５３６」であることを示すので、次の変更を行う（Ｓ２１）。
【００５８】
つまり、「記録画素数」についての現在の設定「１６００×１２００」を、「２２７２×１５３６」へ変更する。
【００５９】
座標（１６，８）は、「記録画素数（動画）」の設定が「３２０×２４０」であることを示すので、現在の設定である「１６０×１２０」を、「３２０×２４０」へ変更する。
【００６０】
座標（１６，２１）は、「液晶の明るさ」の設定が「明るい」であることを示すので、現在の設定値である「標準」を、「明るい」へ変更する。
【００６１】
座標（１６，２２）は、「スピーカー音量」の設定が「ＯＦＦ」であることを示すので、現在の設定値である「ＯＮ」の「パターン３」を、「ＯＦＦ」へ変更する。
【００６２】
座標（１６，２６）は、「言語」の設定が「Ｅｎｇｌｉｓｈ」であることを示すので、現在の設定値である「日本語」を、「Ｅｎｇｌｉｓｈ」へ変更する。
【００６３】
座標（１６，３５）は、「起動画面」の設定が「パターン３」であることを示すので、現在の設定値である「パターン２」を、「パターン３」へ変更する。
【００６４】
座標（２７，１１）は、「セルフタイマー」の設定が「１０秒」であることを示すので、現在の設定値である「２秒」を、「１０秒」へ変更する。
【００６５】
座標（２７，１３）は、「撮影確認時間」の設定が「ＯＮ」であることを示すので、現在の設定値である「ＯＦＦ」を、「ＯＮ」へ変更する。
【００６６】
座標（２７，１４）は、「撮影確認時間」の設定が「２秒」であることを示すので、「２秒」に設定する。
【００６７】
座標（２７，１８）は、「電子音」の「操作音」の設定が「パターン１」であることを示すので、「パターン３」を、「パターン１」へ変更する。
【００６８】
変更されなかった「圧縮率」・「記録形式」・「ＩＳＯ感度」・「電子音：起動音、シャッター音、セルフタイマー音」・「節電モード」・「ＣＦカード初期化」に関しては、変更を行わず、設定内容をそのままにする。
【００６９】
図１２は、電子機器１０の設定項目の領域（範囲）をｘ−ｙ座標で示す図である。
【００７０】
図１２に示す設定項目の領域に属する設定情報が送信されると、設定項目を、「現在の設定」から、「送信されてきた座標」に対応する設定へ変更する。
【００７１】
設定項目の領域に属する設定位置座標が送信されなければ、設定項目は現在の設定のままとみなし、変更しない（Ｓ１９・Ｓ２３）。
【図面の簡単な説明】
【００７２】
【図１】本発明の実施例１である電子機器１０と、読取部を有する印刷装置２０とを接続して、電子機器１０について、必要な設定を行う場合の説明図である。
【図２】電子機器１０と、印刷装置２０との具体的な構成例を示すブロック図である。
【図３】実施例１において使用されて位置テーブルＴ１の一例を示す図である。
【図４】位置テーブルＴ１において、座標位置が数字で付されている位置テーブルの例を示す図である。
【図５】実施例１において、マーク記入欄と設定内容との対応例を示す図である。
【図６】実施例１において、何もマークされていない設定シートＳＳを示す図である。
【図７】実施例１において、電子機器１０をユーザが設定する前に設定されている状態が記載されている設定シートＳＳ１を示す図である。
【図８】印刷された設定シートＳＳ１に、ユーザが変更を望む設定項目に対応するマーク記入欄を塗りつぶした状態を示す図である。
【図９】実施例１において、設定シートＳＳ２を読取部２７が読み取ったイメージデータを示す図である。
【図１０】実施例１における印刷装置２０の動作を示すフローチャートである。
【図１１】実施例１における電子機器１０の動作を示すフローチャートである。
【図１２】電子機器１０の設定項目の領域（範囲）をｘ−ｙ座標で示す図である。
【符号の説明】
【００７３】
１０…電子機器、
１１…ＣＰＵ、
１２…ＲＡＭ、
１３…ＲＯＭ、
１４…Ｉ／Ｆ、
１５…受信データ解析部、
１６…電子機器基本機能部分、
２０…印刷装置、
２１…ＣＰＵ、
２２…ＲＡＭ、
２３…ＲＯＭ、
２４…Ｉ／Ｆ、
２５…印字データ生成部、
２６…印字部、
２７…読取部、
２８…送信データ生成部。
【図１】
2006340242.tif 000003
【図２】
2006340242.tif 000004
【図３】
2006340242.tif 000005
【図４】
2006340242.tif 000006
【図５】
2006340242.tif 000007
【図６】
2006340242.tif 000008
【図７】
2006340242.tif 000009
【図８】
2006340242.tif 000010
【図９】
2006340242.tif 000011
【図１０】
2006340242.tif 000012
【図１１】
2006340242.tif 000013
【図１２】
2006340242.tif 000014